(57)【特許請求の範囲】
【請求項１】
一面開口の金属製箱体と、この箱体内に配設される主幹ブレーカおよび分岐ブレーカと、これら主幹ブレーカおよび分岐ブレーカのハンドルを突出させる窓孔を有して前記箱体の開口を塞ぐ形で取着される蓋とを備え、
前記蓋は、前記窓孔を有して前記主幹ブレーカおよび前記分岐ブレーカに対応する前記箱体の開口中心側に配設される絶縁性パネルと、この絶縁性パネルを取着して前記箱体の開口縁に配設される金属製枠部材とを具備し、
前記金属製枠部材の開口緑の対向する二辺に、一対の取付枠を取着し、前記一対の取付枠に前記絶縁性パネルを着脱自在に取着する分電盤であって、
前記金属製枠部材の前記開口縁に孔を形成するとともに、前記一対の取付枠に前記孔に嵌合する突起を形成した第１挟持片およびこの第１挟持片とともに前記金属製枠部材を表裏両面から挟む第２挟持片を形成し、前記突起の先端面は第１挟持片と第２挟持片との間の溝を金属製枠部材の前記開口縁に差し込み容易にする傾斜面を形成した分電盤。
【請求項２】
前記絶縁性パネルは、主幹ブレーカに対応する第１パネルと、分岐ブレーカに対応する第２パネルとで分割構成された請求項１記載の分電盤。
【請求項３】
前記第１パネルおよび第２パネルのうちの少なくとも一方をスライドさせて前記金属製枠部材に取着する請求項２記載の分電盤。
【発明の詳細な説明】
【０００１】
【発明の属する技術分野】
本発明は、金属製箱体を用いた分電盤に関するものである。
【０００２】
【従来の技術】
従来例として、特開平11−155206号に示すものが存在する。
【０００３】
このものは、一面開口の金属製箱体と、この箱体内に配設される主幹ブレーカ及び分岐ブレーカと、これら主幹ブレーカ及び分岐ブレーカのハンドルを突出させる窓孔を有して箱体の開口を塞ぐ形で取着される中蓋と、この中蓋を覆う形で箱体に回動自在に取着される金属製外蓋とを備えている。
【０００４】
【発明が解決しようとする課題】
しかしながら、中蓋が一枚の金属を折曲して形成されているので、各ブレーカに接続される電線が誤って外れて中蓋に接触すると、ブレーカ開閉時に手が中蓋に触れると感電する恐れがあるという欠点があった。
【０００５】
一般に、このような金属製箱体を有する分電盤にあっては、箱体の底部にアース線を接続して感電防止をしているのであるが、分電盤設置時に工事担当者がアース線を接続し忘れたり、アース線が外れてしまうことも考えられる。
【０００６】
したがって、本発明の目的は、かかる事由に鑑みて成されたものであり、その目的とするところは、ブレーカ開閉時の中蓋の絶縁性が図れかつ中蓋を強固に保持できる分電盤を提供することにある。
【０００７】
【課題を解決するための手段】
請求項１記載の分電盤は、一面開口の金属製箱体と、この箱体内に配設される主幹ブレーカおよび分岐ブレーカと、これら主幹ブレーカおよび分岐ブレーカのハンドルを突出させる窓孔を有して前記箱体の開口を塞ぐ形で取着される蓋とを備え、
前記蓋は、前記窓孔を有して前記主幹ブレーカおよび前記分岐ブレーカに対応する前記箱体の開口中心側に配設される絶縁性パネルと、この絶縁性パネルを取着して前記箱体の開口縁に配設される金属製枠部材とを具備し、
前記金属製枠部材の開口緑の対向する二辺に、一対の取付枠を取着し、前記一対の取付枠に前記絶縁性パネルを着脱自在に取着する分電盤であって、
前記金属製枠部材の前記開口縁に孔を形成するとともに、前記一対の取付枠に前記孔に嵌合する突起を形成した第１挟持片およびこの第１挟持片とともに前記金属製枠部材を表裏両面から挟む第２挟持片を形成し、前記突起の先端面は第１挟持片と第２挟持片との間の溝を金属製枠部材の前記開口縁に差し込み容易にする傾斜面を形成したものである。
【０００８】
請求項１記載の分電盤によれば、蓋の各ブレーカに対応する中心部分は絶縁性であるので、各ブレーカに接続される電線が誤って外れて絶縁性パネルに接触してもブレーカ開閉時の絶縁が図れ、また、外側は金属製であるので、中蓋を強固にすることができる。
さらに金属製枠部材の開口緑の対向する二辺に、一対の取付枠を取着し、一対の取付枠に絶縁性パネルを着脱自在に取着したため、絶縁性パネルを金属製枠部材に簡単に取着できる。また、金属製枠部材の開口縁に孔を形成するとともに、一対の取付枠に前記孔に嵌合する突起を形成した第１挟持片およびこの第１挟持片とともに金属製枠部材を表裏両面から挟む第２挟持片を形成したため、取付枠を金属製枠部材の表裏両面を挟むように金属製枠部材の開口縁から挿通してワンタッチで取着でき、もって取付枠を金属製枠部材に取着する作業が容易となる。突起は第１挟持片と第２挟持片間に形成される溝の開口側に向く面が傾斜しており、金属製枠部材を差し込みやすくして孔に入り込みやすくかつ孔から抜けにくくしている。
【００１３】
請求項２記載の分電盤は、請求項１において、前記絶縁性パネルが、主幹ブレーカに対応する第１パネルと、分岐ブレーカに対応する第２パネルとで分割構成されたものである。
【００１４】
請求項２記載の分電盤によれば、請求項１と同様な効果のほか、分岐ブレーカ数が変更された場合でも、主幹ブレーカに対応する第１パネルを共通とし、分岐ブレーカに対応する第２パネルのみ分岐ブレーカの数に合わせて変更すれば良く、主幹ブレーカに対応する第１パネルの共通化が図れる。
【００１５】
請求項３記載の分電盤は、請求項２において、前記第１パネルおよび第２パネルのうちの少なくとも一方をスライドさせて前記金属製枠部材に取着するものである。
【００１６】
請求項３記載の分電盤によれば、請求項２と同様な効果のほか、取付枠に第１パネルまたは第２パネルをスライドさせて取着するので、取付枠に対向する両側を撓ませて取着する必要がなく、パネルが破損するのを防止できる。
【００１７】
【発明の実施の形態】
この発明の一実施の形態を図１から図１０により説明する。すなわち、この分電盤は、一面開口の金属製箱体１と、この箱体１内に配設される主幹ブレーカ２及び分岐ブレーカ３と、中蓋４と、外蓋５を有する。
【００１８】
金属製箱体１は、底部に壁面等の取付け用の取付孔７を形成し、底部の上下の位置に通線用ノックアウト部８を形成し、底部の中央に断面逆ハット形の取付板９を溶接等により固着している。取付板９には各種分岐ブレーカ３に対応して多数のねじ孔１２を所定位置に形成している。取付板９の両端部に受け板１０の引掛部１１を引掛け、ねじ１３によりねじ孔１２の一部に締付けて受け板１０を取付板９に取付け、受け板１０に中蓋取付部材１４を立設している。また箱体１の上部の側壁１５に複数の通線用のノックアウト孔１６を形成し、箱体１の開口縁には内向きに突出するつば１７を形成している。１８は底部に設けたアース接続部である。
【００１９】
主幹ブレーカ２および分岐ブレーカ３は基板２０に取付けられている。分岐ブレーカ３は上下に横２列に並べて多数配置されている。主幹ブレーカ２は分岐ブレーカ３の並び方向の左側端部に配置されている。主幹ブレーカ２と分岐ブレーカ３は分岐ブレーカ３に沿って配置されたバー（図示せず）およびバーと主幹ブレーカ２の出力端とを接続する導体を介して接続されている。基板２０の両端が受け板１０に引掛部６０により引掛けられかつねじ２２によりねじ止めされて取付けられている。
【００２０】
中蓋４は、主幹ブレーカ２および分岐ブレーカ３のハンドル２ａ、３ａを突出させる窓孔２３、２４を有して箱体１の開口を塞ぐ形で取着される。実施の形態では中蓋４の左右の両側部において取付具２５により中蓋取付部材１４の上端部に取付けられる。中蓋４が中蓋取付部材１４の上端部に載せられ、取付具２５はスライド片（図示せず）を中蓋取付部材１４の係止部にスライドにより引掛けて取付ける構成である。図６が中蓋４の取付状態の正面図であり、窓孔２３、２４に主幹ブレーカ２および分岐ブレーカ３のハンドル２ａ、３ａが現れる。５０は分岐ブレーカ等の表示部である。
【００２１】
実施の形態の中蓋４について詳述すると、中蓋４は窓孔２３、２４を有して主幹ブレーカ２及び分岐ブレーカ３に対応する箱体１の開口中心側に配設される絶縁性パネル２９と、この絶縁性パネル２９を取着して箱体１の開口縁に配設される金属製枠部材３０とで構成している。金属製枠部材３０は図３から図５に示すようにその開口緑の対向する二辺（図では上下）に、一対の取付枠３１を取着し、一対の取付枠３１に絶縁性パネル２９を着脱自在に取着している。このように絶縁性パネル２９を一対の取付枠３１に着脱自在に取着すると、絶縁性パネル２９を金属製枠部材３０に簡単に取着できる。この場合、金属製枠部材３０の開口縁に孔３３を形成するとともに、一対の取付枠３１に孔３３に嵌合する突起３４を形成した第１挟持片３５及びこの第１挟持片３５とともに金属製枠部材３０を表裏両面から挟む第２挟持片３６とを形成している。このようにすると、取付枠３１を金属製枠部材３０の表裏両面を挟むように取付枠３１を金属製枠部材３０の開口縁から挿通してワンタッチで取着でき、もって取付枠３１を金属性枠部材３０に取着する作業が容易となる。突起３４は第１挟持片３５と第２挟持片３６間に形成される溝の開口側に向く面が傾斜しており、金属製枠部材３０を差し込みやすくして孔３３に入り込みやすくかつ孔３３から抜けにくくしている。取付枠３１の挟持片３５、３６と反対側は金属製枠部材３０の開口の内方に突出する複数の突片４２を長手方向に一定間隔をおいて形成している。
【００２２】
絶縁性パネル２９は、両側の裏面に複数の鉤形の係止片４３を形成し、係止片４３の幅を突片４２間に進入できる幅とし、かつ絶縁性パネル２９が金属製枠部材３０への取付位置から取付枠３１の長手方向に若干ずれた位置で、突片４２間の位置となるように所定間隔をおいて形成している（図７参照）。また絶縁性パネル２９は、主幹ブレーカ２に対応する第１パネル３９と、分岐ブレーカ３に対応する第２パネル４０とで分割構成されている。このようにすると、分岐ブレーカ数が変更された場合、主幹ブレーカ２に対応する第１パネル３９を共通とし、分岐ブレーカ３に対応する第２パネル４０のみ分岐ブレーカ３の数に合わせて変更すれば良く、主幹ブレーカ２に対応する第１パネル３９の共通化が図れる。
【００２３】
この場合、第１および第２パネル３９、４０のうちの少なくとも一方をスライドさせて取付枠３１に取着させると、取付枠３１に対向する両側を撓ませて取着する必要がなく、パネルが破損するのを防止できる。図７から図１０により説明すると、図７は中蓋の正面図であり、第２パネル４０が取付位置から若干ずれた位置で係止片４３が突片４２間に位置するように、第２パネル４０を金属製枠部材３０の突片４２に載せた状態を示し、図８はその裏面図である。図９は第２パネル４０をスライドして取付位置に移動させて係止片４３を突片４２に係止した状態の裏面図であり、図１０はその正面図である。そして第１パネル３９はこれを撓めて係止片４３を突片４２に係止することにより取付けている。
【００２４】
外蓋５は金属製であり、中蓋４を覆う形で箱体１に回動自在に取着される。実施の形態では箱体１のつば１７にねじ孔５１を形成し、開口枠５２がねじ５３によりねじ孔５１に取付けられる。外蓋５は開口枠５２の側部にヒンジ５４により回動自在に取付けられ、外蓋５の回動端に弾性係止部５５を設け、開口枠５２に設けた引掛受け部５６に弾性係止部５５を係脱自在に引っ掛けるようにしている。開口枠５２は中蓋４よりも大きいため外蓋５を開いた状態で中蓋４を取付け取外しできる。
【００２５】
この実施の形態によれば、中蓋４の各ブレーカ２、３に対応する中心部分は絶縁性であるので、各ブレーカ２、３に接続される電線が誤って外れて絶縁性パネル２９に接触しても、また金属製外蓋５に接触しても、ブレーカ開閉時の絶縁が図れ感電に対する安全が図れるとともに、中蓋４の外側は金属製であるので、中蓋４を強固にすることができる。
【００２６】
【発明の効果】
請求項１記載の分電盤によれば、蓋の各ブレーカに対応する中心部分は絶縁性であるので、各ブレーカに接続される電線が誤って外れて絶縁性パネルに接触してもブレーカ開閉時の絶縁が図れ、また、外側は金属製であるので、中蓋を強固にすることができる。
さらに金属製枠部材の開口緑の対向する二辺に、一対の取付枠を取着し、一対の取付枠に絶縁性パネルを着脱自在に取着したため、絶縁性パネルを金属製枠部材に簡単に取着できる。また、金属製枠部材の開口縁に孔を形成するとともに、一対の取付枠に前記孔に嵌合する突起を形成した第１挟持片およびこの第１挟持片とともに金属製枠部材を表裏両面から挟む第２挟持片を形成したため、取付枠を金属製枠部材の表裏両面を挟むように金属製枠部材の開口縁から挿通してワンタッチで取着でき、もって取付枠を金属製枠部材に取着する作業が容易となる。突起は第１挟持片と第２挟持片間に形成される溝の開口側に向く面が傾斜しており、金属製枠部材を差し込みやすくして孔に入り込みやすくかつ孔から抜けにくくしている。
【００２９】
請求項２記載の分電盤によれば、請求項１と同様な効果のほか、分岐ブレーカ数が変更された場合でも、主幹ブレーカに対応する第１パネルを共通とし、分岐ブレーカに対応する第２パネルのみ分岐ブレーカの数に合わせて変更すれば良く、主幹ブレーカに対応する第１パネルの共通化が図れる。
【００３０】
請求項３記載の分電盤によれば、請求項２と同様な効果のほか、取付枠に第１パネルまたは第２パネルをスライドさせて取着するので、取付枠に対向する両側を撓ませて取着する必要がなく、パネルが破損するのを防止できる。
【図面の簡単な説明】
【図１】この発明の一実施の形態の分解斜視図である。
【図２】外蓋を開いた状態の分電盤の斜視図である。
【図３】中蓋の分解斜視図である。
【図４】中蓋の断面図である。
【図５】その部分拡大図である。
【図６】中蓋を取付けた状態の外蓋のない状態の分電盤の正面図である。
【図７】中蓋の第２パネルをスライドした状態の正面図である。
【図８】その裏面図である。
【図９】第２パネルを取付位置に移動し、かつ第１パネルを装着した状態の裏面図である。
【図１０】その正面図である。
【符号の説明】
１    箱体
２    主幹ブレーカ
２ａ    ハンドル
３    分岐ブレーカ
３ａ    ハンドル
４    中蓋
５    外蓋
２３    窓孔
２４    窓孔
２９    絶縁性パネル
３０    金属製枠部材
３１    取付枠
３３    孔
３４    突起
３５    第１挟持片
３６    第２挟持片
３９    第１パネル
４０    第２パネル
４２    突片
４３    係止片
【図１】
0003821007.tif 000002
【図２】
0003821007.tif 000003
【図３】
0003821007.tif 000004
【図４】
0003821007.tif 000005
【図５】
0003821007.tif 000006
【図６】
0003821007.tif 000007
【図７】
0003821007.tif 000008
【図８】
0003821007.tif 000009
【図９】
0003821007.tif 000010
【図１０】
0003821007.tif 000011